(57)【特許請求の範囲】
【請求項１】
情報の表示を行う表示部(602)と、
予め定められた試運転動作の動作状況を、該試運転動作時に冷媒回路において動作する各動作機構(21)毎に検出する検出部(201)と、
前記検出部(201)によって検出された動作状況から前記試運転動作の完了までに必要な所要時間の算出に用いる所要時間算出情報を、前記各動作機構(21)毎にそれぞれ記憶する記憶部(205)と、
前記記憶部(205)に記憶されている前記各動作機構(21)毎の前記所要時間算出情報を用いて、前記検出部(201)によって検出された動作状況から前記試運転動作の完了までに必要な所要時間の算出を、前記各動作機構(21)毎に算出する算出部(206)と、
前記算出部(206)によって算出された前記各動作機構(21)についての前記所要時間を前記表示部(602)に表示させる制御部(601)と
を備えた
空気調和機(100)。
【請求項２】
前記検出部(201)は、複数の各動作機構(21)が連動して一連の試運転動作を行う場合における当該複数の各動作機構(21)の動作状況を検出し、
前記算出部(206)は、前記検出部(201)によって検出された前記各動作機構(21)の動作状況に応じて、前記記憶部(205)に記憶されている当該各動作機構(21)についての所要時間算出情報から、前記一連の試運転動作が終了するまでに要する所要時間を逐次算出する請求項１に記載の空気調和機(100)。
【請求項３】
前記記憶部(205)は、前記一連の試運転動作を行う複数の各動作機構(21)のうちの一つが前記試運転動作中に遅延を発生させた場合に、当該遅延を要因として当該一連の試運転動作を行う他の動作機構(21)に発生する遅延時間を記憶しており、
前記算出部(206)は、前記一連の試運転動作を行う複数の各動作機構(21)のうちの一つに前記遅延の発生が前記検出部(201)によって検出された場合、前記記憶部(205)に記憶されている前記他の動作機構(21)に発生する遅延時間を加算した上で、当該一連の試運転動作についての前記所要時間を逐次算出する請求項２に記載の空気調和機(100)。
【請求項４】
操作者から当該空気調和機の動作設定が入力される動作設定入力部(603)と、
前記動作設定入力部(603)に入力された動作設定を記憶する動作設定記憶部(202)と、
前記動作設定記憶部に記憶された動作設定に従って当該室外機の各動作機構(21)を駆動制御する動作制御部(203)と
を更に備えた請求項１乃至請求項３のいずれかに記載の空気調和機(100)。
【請求項５】
前記動作設定入力部(603)は、動作設定情報を記憶した記憶媒体から情報の読み出しが可能なインタフェイスを備え、
前記動作設定記憶部には、前記動作設定入力部(603)のインタフェイスにより前記記憶媒体から読み出された動作設定情報の示す動作設定が記憶される請求項４に記載の空気調和機(100)。
【請求項６】
前記動作設定入力部(603)は、動作設定情報を記憶した記憶媒体への情報の書き出しが可能なインタフェイス(604)を備え、当該インタフェイスにより、前記検出部(201)によって検出された動作状況、又は前記各動作機構(21)の前記所要時間の少なくとも一方を、前記記憶媒体に書き出す請求項４又は請求項５に記載の空気調和機(100)。
【請求項７】
少なくとも前記制御部(601)及び前記表示部(602)は、当該空気調和機本体(10)とは別個に、当該室外機本体との間で情報の入出力が可能な表示装置側インタフェイス(605)を備える表示装置(60)として構成され、
前記空気調和機本体(10)は、前記表示装置との間で情報の入出力が可能な本体側インタフェイス(204)を備える請求項１乃至請求項６のいずれかに記載の空気調和機(100)。
【請求項８】
前記制御部(601)は、前記試運転動作の前記所要時間に加え、前記検出部(201)によって検出された前記各動作機構(21)の前記動作状況を前記表示部(602)に表示させる請求項１乃至請求項７のいずれかに記載の空気調和機(100)。
【請求項９】
前記制御部(601)は、前記所要時間をグラフィック表示により前記表示部(602)に表示させる請求項１乃至請求項８のいずれかに記載の空気調和機(100)。
【発明の詳細な説明】
【技術分野】
【０００１】
本発明は、空気調和機及び表示装置に関し、特に、空気調和機における試運転動作時の動作状況を報知する技術に関する。
【背景技術】
【０００２】
従来から、空気調和機での試運転時に動作確認運転が行われる場合、当該動作確認運転の進行状況等は、例えば、室外機にパーソナルコンピュータを接続して、当該パーソナルコンピュータのディスプレイに、当該動作確認運転の進行状況等を表示させていた。
【先行技術文献】
【特許文献】
【０００３】
【特許文献１】特開平１１−５１４５３号公報
【発明の概要】
【発明が解決しようとする課題】
【０００４】
しかしながら、上記従来の空気調和機は、試運転時における動作確認運転の全体的な進行状況しか表示されないため、メンテナンス者等は、試運転動作終了までの所要時間を把握することが困難であり、当該試運転動作の動作進行状況を的確に把握して試運転動作終了までの残り時間を有効に活用するには、なお操作者の熟練性が必要であった。
【０００５】
本発明では、空気調和機の試運転動作時に、メンテナンス者等の操作者が、当該試運転動作の動作進行状況を簡単に把握でき、試運転動作終了までの残り時間を有効に活用できるようにして、試運転時の操作性向上を図ることを目的とする。
【課題を解決するための手段】
【０００６】
本発明の請求項１に記載の発明は、情報の表示を行う表示部(602)と、
予め定められた試運転動作の動作状況を、該試運転動作時に冷媒回路において動作する各動作機構(21)毎に検出する検出部(201)と、
前記検出部(201)によって検出された動作状況から前記試運転動作の完了までに必要な所要時間の算出に用いる所要時間算出情報を、前記各動作機構(21)毎にそれぞれ記憶する記憶部(205)と、
前記記憶部(205)に記憶されている前記各動作機構(21)毎の前記所要時間算出情報を用いて、前記検出部(201)によって検出された動作状況から前記試運転動作の完了までに必要な所要時間の算出を、前記各動作機構(21)毎に算出する算出部(206)と、
前記算出部(206)によって算出された前記各動作機構(21)についての前記所要時間を前記表示部(602)に表示させる制御部(601)と
を備えた空気調和機(100)である。
【０００７】
この発明によれば、算出部が、記憶部に記憶されている予め定められた試運転動作についての、該試運転動作時に冷媒回路において動作する各動作機構毎の所要時間算出情報を用いて、検出部によって検出された各動作機構の動作状況から試運転動作が終了するまでの所要時間を各動作機構毎に逐次算出し、制御部が、当該算出された各動作機構についての所要時間を表示部に表示させるので、メンテナンス者等の操作者は、空気調和機の試運転動作時に、上記表示部に表示される試運転動作に、上記表示部に表示される各動作機構についての所要時間を視認することで、試運転動作における各動作機構の動作進行状況を更に簡単に把握できる。これにより、試運転動作終了までの残り時間を有効に活用でき、試運転時の操作性向上を図ることが可能である。
【００１０】
また、請求項２に記載の発明は、請求項１に記載の空気調和機(100)であって、前記検出部(201)は、複数の各動作機構(21)が連動して一連の試運転動作を行う場合における当該複数の各動作機構(21)の動作状況を検出し、
前記算出部(206)は、前記検出部(201)によって検出された前記各動作機構(21)の動作状況に応じて、前記記憶部(205)に記憶されている当該各動作機構(21)についての所要時間算出情報から、前記一連の試運転動作が終了するまでに要する所要時間を逐次算出するものである。
【００１１】
この発明によれば、算出部が、検出部によって検出された各動作機構の動作状況に応じて、記憶部に記憶されている当該各動作機構についての所要時間算出情報から、上記一連の試運転動作についての所要時間を逐次算出するので、メンテナンス者等の操作者は、空気調和機の試運転動作時に、表示部に表示される上記一連の試運転動作についての所要時間を視認することで、複数の各動作機構による一連の試運転動作の動作進行状況を簡単に把握できる。
【００１２】
また、請求項３に記載の発明は、請求項２に記載の空気調和機(100)であって、前記記憶部(205)は、前記一連の試運転動作を行う複数の各動作機構(21)のうちの一つが前記試運転動作中に遅延を発生させた場合に、当該遅延を要因として当該一連の試運転動作を行う他の動作機構(21)に発生する遅延時間を記憶しており、
前記算出部(206)は、前記一連の試運転動作を行う複数の各動作機構(21)のうちの一つに前記遅延の発生が前記検出部(201)によって検出された場合、前記記憶部(205)に記憶されている前記他の動作機構(21)に発生する遅延時間を加算した上で、当該一連の試運転動作についての前記所要時間を逐次算出するものである。
【００１３】
この発明では、算出部は、上記一連の試運転動作を行う複数の各動作機構のうちの一つに遅延の発生が検出された場合に、記憶部に記憶されている他の動作機構に発生する遅延時間を加算した上で、当該一連の試運転動作についての所要時間を逐次算出する。このため、例えば、上記一連の試運転動作の所要時間が、当該一連の試運転動作を行う複数の各動作機構の動作に要するそれぞれの所要時間を合算したものではなく、ある動作機構の動作遅延が他の動作機の動作の所要時間に遅延を生じさせて当該一連の試運転動作の所要時間が変動するような場合にも、正確に当該一連の試運転動作の所要時間を表示部に表示させることができる。
【００１４】
また、請求項４に記載の発明は、請求項１乃至請求項３のいずれかに記載の空気調和機(100)であって、操作者から当該空気調和機の動作設定が入力される動作設定入力部(603)と、
前記動作設定入力部(603)に入力された動作設定を記憶する動作設定記憶部(202)と、
前記動作設定記憶部に記憶された動作設定に従って当該室外機の各動作機構(21)を駆動制御する動作制御部(203)と
を更に備えたものである。
【００１５】
この発明では、操作者が動作設定入力部に当該空気調和機の動作設定を入力すると、当該入力された動作設定が動作設定記憶部に記憶され、この動作設定に従って制御部が、当該室外機の各動作機構を駆動制御するので、操作者は、当該動作設定入力部を利用して簡単に空気調和機の動作設定を入力できる。
【００１６】
また、請求項５に記載の発明は、請求項４に記載の空気調和機(100)であって、前記動作設定入力部(603)は、動作設定情報を記憶した記憶媒体から情報の読み出しが可能なインタフェイスを備え、
前記動作設定記憶部には、前記動作設定入力部(603)のインタフェイスにより前記記憶媒体から読み出された動作設定情報の示す動作設定が記憶されるものである。
【００１７】
この発明によれば、操作者は、動作設定情報を記憶した記憶媒体から、上記インタフェイスに動作設定情報を読み出させることで、動作設定記憶部に当該動作設定情報の示す動作設定を記憶させることが可能なので、当該操作者は、手動での動作設定の入力操作を行わずに簡単に空気調和機の動作設定を入力できる。
【００１８】
また、請求項６に記載の発明は、請求項４又は請求項５に記載の空気調和機(100)であって、前記動作設定入力部(603)は、動作設定情報を記憶した記憶媒体への情報の書き出しが可能なインタフェイス(604)を備え、当該インタフェイスにより、前記検出部(201)によって検出された動作状況、又は前記各動作機構(21)の前記所要時間の少なくとも一方を、前記記憶媒体に書き出すものである。
【００１９】
この発明によれば、操作者は、当該インタフェイスにより記憶媒体に、検出部によって検出された動作状況、又は前記各動作機構の所要時間の少なくとも一方を、前記記憶媒体に書き出させることによって、操作者は簡単に空気調和機の動作状況、又は前記各動作機構の所要時間の少なくとも一方を保存することができる。
【００２０】
また、請求項７に記載の発明は、請求項１乃至請求項６のいずれかに記載の空気調和機(100)であって、少なくとも前記制御部(601)及び前記表示部(602)は、当該空気調和機本体(10)とは別個に、当該室外機本体との間で情報の入出力が可能な表示装置側インタフェイス(605)を備える表示装置(60)として構成され、
前記空気調和機本体(10)は、前記表示装置との間で情報の入出力が可能な本体側インタフェイス(204)を備えるものである。
【００２１】
この発明では、少なくとも制御部及び表示部は、当該室外機の室外機本体とは別個に表示装置として構成され、表示装置側インタフェイス及び本体側インタフェイスにより、室外機本体と表示装置との間で情報の入出力が可能とされるので、操作者は、室外機本体から離れた位置にいても、当該表示装置の表示部を視認できる状態にあれば、試運転時における各動作機構の動作進行状況を簡単に把握できる。
【００２２】
また、請求項８に記載の発明は、請求項１乃至請求項７のいずれかに記載の空気調和機(100)であって、前記制御部(601)は、前記試運転動作の前記所要時間に加え、前記検出部(201)によって検出された前記各動作機構(21)の前記動作状況を前記表示部(602)に表示させるものである。
【００２３】
この発明によれば、操作者は、当該表示装置に備えられた表示部を視認することで、試運転時における各動作機構の動作状況（例えば、冷媒回路に設けられている閉鎖弁の開閉状態、冷媒回路内の冷媒量等）も簡単に把握できる。
【００２４】
また、請求項９に記載の発明は、請求項１乃至請求項８のいずれかに記載の空気調和機(100)であって、前記制御部(601)は、前記所要時間をグラフィック表示により前記表示部(602)に表示させるものである。
【００２５】
この発明によれば、操作者は、表示部に表示されるグラフィック表示による所要時間を視認することで、試運転時における各動作機構の動作進行状況をより直感的に簡単に把握できる。
【発明の効果】
【００３０】
本発明によれば、メンテナンス者等の操作者は、空気調和機について試運転時における動作確認運転時に、上記表示部に表示される試運転動作終了までの所要時間を視認することで、当該試運転動作の動作進行状況を更に簡単に把握でき、これにより、試運転動作終了までの残り時間を有効に活用でき、試運転時の操作性向上を図ることが可能である。
【図面の簡単な説明】
【００３１】
【図１】本発明の一実施形態に係る空気調和装置の冷媒回路の概略図である。
【図２】室外機及び表示装置の電気的な概略構成を示す制御ブロック図である。
【図３】表示装置の外観を示す正面図である。
【図４】空気調和機及び表示装置の試運転動作時における処理の流れを説明するフローチャートである。
【図５】試運転動作における各動作機構の動作終了までの所要時間を示す表示画面の一例である。
【図６】空気調和機及び表示装置の試運転動作時における処理の第２実施形態を説明するフローチャートである。
【図７】試運転動作における動作終了までの所要時間を示す表示画面の一例である。
【図８】空気調和機及び表示装置の試運転動作時における処理の第３実施形態を示すフローチャートである。
【図９】表示装置において空気調和機の動作設定を入力する際の処理の第１実施形態を示すフローチャートである。
【図１０】表示装置において空気調和機の動作設定を入力する際の処理の第２実施形態を示すフローチャートである。
【図１１】空気調和機本体及び表示装置の試運転動作時における処理の第４実施形態を示すフローチャートである。
【発明を実施するための形態】
【００３２】
以下、本発明の一実施形態に係る空気調和機について図面を参照して説明する。図１は本発明の一実施形態に係る空気調和機の冷媒回路の概略図である。
【００３３】
空気調和機１００は、表示装置６０及び空気調和機本体１０を備える。
【００３４】
空気調和機本体１０は、室外機２０及び室内機３０を備える。空気調和機本体１０は、室外機２０と室内機３０とが接続されたいわゆるセパレートタイプである。室外機２０は、圧縮機２１と、四路切換弁２２と、室外熱交換器２３と、補助熱交換器２４と、膨張回路２５とを備えて構成されている。室内機３０は、室内熱交換器３１を備えて構成されている。
【００３５】
冷媒回路１１は、圧縮機２１と、四路切換弁２２と、室外熱交換器２３と、補助熱交換器２４と、膨張回路２５と、室内熱交換器３１とが冷媒が循環可能に順に接続されて構成されている。
【００３６】
室外機２０と室内機３０は、液側配管１２及びガス側配管１３により接続されている。液側配管１２は膨張回路２５と室内熱交換器３１とを接続している。ガス側配管１３は、四路切換弁２２と室内熱交換器３１とを接続している。
【００３７】
圧縮機２１は、インバータにより容量可変に調節されるスクロールタイプに構成されている。この圧縮機２１の吐出側には吐出管２６が接続され、吸入側には吸入管２７が接続されている。吐出管２６には、圧縮機２１の運転音を低減するためのマフラ２８が接続されている。吸入管２７には、冷媒中の塵埃を除去するフィルタ２９が設置されている。
【００３８】
四路切換弁２２は、圧縮機２１の吐出側と室外熱交換器２３とが連通し、かつ圧縮機２１の吸入側と室内熱交換器３１とが連通する状態（図１に実線で示す状態）と、圧縮機２１の吐出側と室内熱交換器３１とが連通し且つ圧縮機２１の吸入側と室外熱交換器２３とが連通する状態（図１に破線で示す状態）とに切り換わるように構成されている。この四路切換弁２２を切り換えることによって、冷媒回路１１における冷媒の循環方向が切り換わる。
【００３９】
室外熱交換器２３及び補助熱交換器２４は、いわゆるクロスフィン形の熱交換器として構成され、室外空気と冷媒とを熱交換させる。
【００４０】
膨張回路２５は、冷媒を減圧するように構成されている。この膨張回路２５は、ブリッジ回路で構成される方向制御回路４１と、この方向制御回路４１に接続される一方向通路４２により構成されている。方向制御回路４１は、冷房運転時には室外熱交換器２３からの冷媒を一方向通路４２に案内し、暖房運転時には室内熱交換器３１からの冷媒を一方向通路４２に案内するように構成されている。
【００４１】
一方向通路４２には、上流側に位置して冷媒を貯留しながら冷媒を流出させるレシーバ４３と、その下流側に位置する開度調整可能な電子膨張弁４４とが直列に配置されている。従って、レシーバ４３には、冷媒の循環方向に拘わらず常に液冷媒が流入する。なお、レシーバ４３と電子膨張弁４４との間には、冷媒中の塵埃を除去するフィルタ４５が設置されている。
【００４２】
一方向通路４２は、フィルタ４５と電子膨張弁４４との間において、圧縮機２１の停止時における液封を防止する液封防止通路４６を介して、圧縮機２１の吐出管２６に接続されている。この液封防止通路４６には、上記一方向通路４２から吐出管２６への冷媒の流通を許容する逆止弁４７が設置されている。
【００４３】
方向制御回路４１は、第１流入路４８と、第１流出路４９と、第２流入路５０と、第２流出路５１とがブリッジ状に接続されて構成されている。各流入路及び各流出路には、それぞれ逆止弁（ＣＶ）が設けられている。
【００４４】
第１流入路４８は、室外熱交換器２３が接続される第１接続点５２から、１方向通路の上流端が接続される第２接続点５３に向かう冷媒流れを形成している。また、第１流出路４９は、一方向通路４２の下流端が接続される第３接続点５４から、室内熱交換器３１が接続される第４接続点５５に向かう冷媒流れを形成している。
【００４５】
第２流入路５０は、第４接続点５５から第２接続点５３に向かう冷媒流れを形成している。また、第２流出路５１は、第３接続点５４から第１接続点５２に向かう冷媒流れを形成している。
【００４６】
レシーバ４３の上部と、常時低圧液配管となる一方向通路４２における電子膨張弁４４より下流側との間にはバイパス通路５６が接続されている。該バイパス通路５６には電磁弁５７が設置されており、レシーバ４３内のガス冷媒を抜くことができるように構成されている。
【００４７】
尚、この電磁弁５７及び電子膨張弁４４が運転停止時に閉鎖した状態となっても、上記液封防止通路４６が、周囲温度の上昇などによりレシーバ４３内の液冷媒が膨張しても、この冷媒を一方向通路４２から熱交換器２３，３１側に流す役目を果たす。
【００４８】
液側配管１２及びガス側配管１３には、それぞれ閉鎖弁１４，１５が設置されている。この各閉鎖弁１４，１５は、室外機２０及び室内機３０が据え付けられるときに、操作者（業者、メンテナンス者）により開放される。
【００４９】
圧縮機２１の吐出管２６には、当該圧縮機２１の吐出管温度を検出する吐出管温度センサ（Ｔｄ）が設置されている。また、室外機２０の空気吸込口には、室外空気温度を検出する外気温センサ（Ｔｏ）が配置され、室外熱交換器２３には、冷房運転時には凝縮温度となり、暖房運転時には蒸発温度となる外熱交温度を検出する外熱交温度センサ（Ｔｃ）が配置されている。さらに、室内機３０の空気吸込口には、室内空気温度を検出する室温センサ（Ｔｒ）が配置され、室内熱交換器３１には、冷房運転時には蒸発温度となり、暖房運転時には凝縮温度となる内熱交温度を検出する内熱交温度センサ（Ｔｅ）が配置されている。
【００５０】
圧縮機２１の吐出管２６には、高圧冷媒圧力を検出して、該高圧冷媒圧力の過上昇によりオンとなって高圧保護信号を出力する高圧保護圧力スイッチ（ＨＳ１）と、上記高圧冷媒圧力を検出して高圧制御信号を出力する高圧制御圧力センサ（ＨＳ２）とが配置されている。また、圧縮機２１の吸入管２７には、低圧冷媒圧力を検出して、該低圧冷媒圧力の過低下によりオンとなって低圧保護信号を出力する低圧保護圧力スイッチ（ＬＳ）が配置されている。上記高圧保護圧力スイッチ（ＨＳ１）及び低圧保護圧力スイッチ（ＬＳ）が圧力検出部（ＨＳ１，ＨＳ２，ＬＳ）を構成している。各温度センサ（Ｔｄ、Ｔｏ、Ｔｃ、Ｔｒ、Ｔｅ）、高圧保護圧力スイッチ（ＨＳ１）、高圧制御圧力センサ（ＨＳ２）、及び低圧保護圧力スイッチ（ＬＳ）の出力信号は、本実施形態では室外機２０に設けられる後述の制御部に入力され、各機構の動作制御に用いられる。
【００５１】
さらに、室外機２０には、電源電圧センサ５８及び電源電流センサ５９が備えられている。電源電圧センサ５８は、空気調和機本体１０の駆動に用いられる電源電圧を検出する。電源電流センサ５９は、空気調和機本体１０の駆動に用いられる電源電流を検出する。
【００５２】
また、当該空気調和機１００は、表示装置６０を備えている。表示装置６０は、室外機２０及び室内機３０、すなわち空気調和機本体１０とは別個に設けられており、室外機２０及び室内機３０は表示装置６０との間において無線でデータの送受信が可能に接続されている。但し、本発明において表示装置６０と、室外機２０及び室内機３０との間における通信を無線方式に限定する趣旨ではない。
【００５３】
次に、冷媒循環動作について説明する。冷房運転時には、四路切換弁２２が図中の実線で示す接続に切り換わる。圧縮機２１から吐出された冷媒が四路切換弁２２を通過して、室外熱交換器２３及び補助熱交換器２４に流入する。室外熱交換器２３及び補助熱交換器２４において、冷媒が室外空気と熱交換して凝縮する。この凝縮した冷媒が第１流入路４８を通過してレシーバ４３に一旦貯溜される。そして、冷媒がレシーバ４３から流出し、一方向通路４２を流通して電子膨張弁４４により減圧される。その後、第１流出路４９を経て液側配管１２に設置される閉鎖弁１４を通過し、室内熱交換器３１に流入する。そして、室内熱交換器３１において冷媒が室内空気を冷却すると共に蒸発する。この蒸発した冷媒がガス側配管１３に設置される閉鎖弁１５を通過し、室外機２０に流入する。室外機２０に流入した冷媒が圧縮機２１に吸入される。
【００５４】
暖房運転時には、四路切換弁２２が図中の破線で示す接続に切り換わる。圧縮機２１から吐出された冷媒が四路切換弁２２を通過した後、ガス側配管１３に設置される閉鎖弁１５を通過し、室内熱交換器３１に流入する。室内熱交換器３１において、冷媒が室内空気を暖房して凝縮する。この凝縮した冷媒が液側配管１２に設置される閉鎖弁１４を通過し、室外機２０に流入する。室外機２０に流入した冷媒が第２流入路５０を通過してレシーバ４３に一旦貯溜される。そして、冷媒がレシーバ４３から流出し、一方向通路４２を流出して電子膨張弁４４により減圧される。その後、第２流出路５１を経て補助熱交換器２４及び室外熱交換器２３に流入する。補助熱交換器２４及び室外熱交換器２３において、冷媒が室外空気と熱交換して蒸発し、圧縮機２１に吸入される。
【００５５】
図２は、室外機２０及び表示装置６０の電気的な概略構成を示す制御ブロック図である。図３は表示装置６０の外観を示す正面図である。
【００５６】
室外機２０は、検出部２０１と、動作設定記憶部２０２と、動作制御部２０３と、データ送受信部２０４と、記憶部２０５と、算出部２０６と、を備える。
【００５７】
検出部２０１は、空気調和機１００の予め定められた空調試運転動作（以下、単に試運転動作という）の動作状況を検出する。この試運転動作とは、例えば、送風運転、冷房運転、暖房運転、ルーバーの運転等が、所定の時間内で順次実行されるものである。
【００５８】
さらに、検出部２０１は、当該試運転動作を行う室外機２０の各動作機構の動作状況を検出する。検出部２０１は、この試運転時、外気温センサ（Ｔｏ）によって検出される室外空気温度、室温センサ（Ｔｒ）によって検出される室内空気温度、上記圧力検出部（ＨＳ１，ＨＳ２，ＬＳ）によって検出される圧縮機２１の高圧及び低圧の冷媒圧力、吐出管温度センサ（Ｔｄ）によって検出される圧縮機２１の吐出管温度、外熱交温度センサ（Ｔｃ）によって検出される外熱交温度、内熱交温度センサ（Ｔｅ）によって検出される内熱交温度、電源電圧センサ５８によって検出される電源電圧、電源電流センサ５９によって検出される電源電流、冷媒量検出部によって検出される冷媒回路１１内の冷媒量の各種のデータ等を収集する。検出部２０１は、これら各情報、又はこれらの情報から算出した例えば目標温度までの温度差等を、試運転動作時における各機構（圧縮機２１等）の動作状況として検出する。さらに、検出部２０１は、これら各情報、又はこれらの情報から算出した例えば目標温度までの温度差等の組合せを、試運転動作の動作状況として検出する。
【００５９】
動作設定記憶部２０２は、表示装置６０に備えられている操作部６０３に操作者から入力された又は後述する記憶媒体から読み出された空気調和機本体１０の動作設定を記憶する。当該動作設定とは、例えば、空気調和動作の運転又は停止、冷房，暖房，又は除湿等の運転モード、風量調節、目標室内温度等である。表示装置６０と室外機２０との間における当該動作設定情報の送受信は、後述するデータ送受信部２０４及び表示装置６０の通信部６０５によって行われる。
【００６０】
動作制御部２０３は、室外機２０の全体的な動作制御を司るものである。動作制御部２０３は、通常運転時及び試運転時の各動作機構（圧縮機２１、電子膨張弁４４、電磁弁５７等）の動作を制御する。動作制御部２０３は、動作設定記憶部２０２に記憶されている動作設定に従って当該室外機２０の各動作機構を駆動制御する。
【００６１】
記憶部２０５は、不揮発性メモリ等からなり、検出部２０１によって検出された動作状況から試運転動作の完了までに必要な所要時間の算出に用いる所要時間算出情報を記憶している。例えば、記憶部２０５は、当該所要時間算出情報として、検出部２０１によって検出される試運転動作の各動作状況に応じて、予め定められた計算式、又は当該各動作状況時点から試運転動作の終了までに必要な所要時間の情報を記憶している。
【００６２】
また、記憶部２０５は、検出部２０１によって検出された動作状況から試運転動作の完了までに必要な所要時間の算出に用いる所要時間算出情報を、各動作機構毎にそれぞれ記憶している。例えば、記憶部２０５は、当該所要時間算出情報として、検出部２０１によって検出された各動作機構（上記試運転動作を行う各動作機構）の動作状況に応じた予め定められた計算式、又は上記試運転動作を行う各動作機構について、試運転動作の開始から終了までに必要な所要時間の情報を記憶している。本実施形態では、記憶部２０５が、上記試運転動作を行う各動作機構について、試運転動作の開始から終了までに必要な所要時間の情報を記憶している場合を例にして説明する。
【００６３】
上記各動作機構毎の所要時間情報としては、検出部２０１によって検出された動作状況に応じた所要時間が動作機構毎に記憶されている。例えば、検出部２０１によって上記冷媒量が検出された場合、冷媒回路１１内の冷媒量を目標値までに到達させるまでに必要な、当該冷媒量検出時点からの時間を、冷媒回路１１内に設けられている閉鎖弁１４，１５（動作機構の一例）についての動作状況に応じた上記所要時間として記憶部２０５が記憶している。また、検出部２０１によって上記高圧及び低圧の圧力が検出された場合、当該高圧及び低圧の圧力を目標値までに到達させるまでに必要な、当該高圧及び低圧の圧力の検出時点からの時間を圧縮機２１（動作機構の一例）についての動作状況に応じた上記所要時間として記憶部２０５が記憶している。さらには、検出部２０１によって上記現状の室内外温度が検出された場合、当該現状の室内外温度を目標値までに到達させるまでに必要な、当該現状の室内外温度の検出時点からの時間を冷媒回路１１（動作機構の一例）についての動作状況に応じた上記所要時間として記憶部２０５が記憶している。
【００６４】
算出部２０６は、記憶部２０５に記憶されている試運転動作についての所要時間算出情報（上記計算式又は所要時間情報）、又は各動作機構毎の所要時間算出情報（上記計算式又は所要時間情報）を用いて、検出部２０１によって検出された動作状況から試運転動作の完了までに必要な所要時間の算出を試運転動作全体について、又は各動作機構毎に算出する。本実施形態では、算出部２０６は、検出部２０１によって検出された試運転動作の動作状況に応じて、当該動作状況に対応する（当該動作状況時点からの）試運転終了までの所要時間を記憶部２０５から読み出すことで、試運転開始時から試運転終了に至るまでの各時点における試運転動作終了までの所要時間を逐次算出する場合を例にして説明する。また、本実施形態では、さらに、算出部２０６は、検出部２０１によって検出された各動作機構の動作状況に応じて、当該動作状況に対応する試運転終了までの所要時間を記憶部２０５から読み出すことで、試運転開始時から試運転終了に至るまでの各時点における各動作機構の試運転動作終了までの所要時間を逐次算出する場合を例にして説明する。
【００６５】
なお、算出部２０６が、上記計算式を用いて、試運転動作、又は試運転動作時における各動作機構について、検出部２０１による動作状況の検出時から試運転動作又は各動作機構の動作終了までの所要時間を算出する場合、例えば、記憶部２０５には、試運転動作、又は試運転動作時に動作する各動作機構についての試運転動作開始から終了までに要する所要時間が記憶されており、算出部２０６は、検出部２０１によって検出された試運転動作の動作状況が示す値、又は試運転動作時に動作する各動作機構の動作状況が示す値と、記憶部２０５に記憶されている試運転動作についての上記所要時間、又は試運転動作時に動作する各動作機構についての上記所要時間と、予め定められた計算式とを用いた算出により、上記検出部２０１による動作状況の検出時から、試運転動作終了までの所要時間、又は試運転動作時の各動作機構の動作終了までの所要時間を算出するようにしてもよい。
【００６６】
データ送受信部２０４は、表示装置６０との間で、算出部２０６によって算出された試運転動作についての上記所要時間、又は各動作機構の上記所要時間を含む各種の情報を送受信するインタフェイスである。
【００６７】
表示装置６０は、制御部６０１と、表示部６０２と、操作部６０３と、リーダ／ライタ部６０４と、通信部６０５とを備える。表示装置６０は、上述したように、空気調和機本体１０である室外機２０及び室内機３０とは別個に設けられている。
【００６８】
制御部６０１は、表示装置６０の全体的な動作制御を司る。制御部６０１は、算出部２０６によって算出された上記各動作機構についての試運転動作時における動作終了までの所要時間を通信部６０５を介して室外機２０から受信して表示部６０２に表示させる制御も行う。
【００６９】
表示部６０２は、例えばＬＣＤ（Liquid Crystal Display）等でなり、制御部６０１による制御の下で、上記各動作機構についての試運転動作時における動作終了までの所要時間を含む各種の情報を表示する。
【００７０】
操作部（動作設定入力部）６０３は、操作者から、空気調和機本体１０の動作についての上記動作設定の入力を受け付ける。操作部６０３は、図３（ａ）に示すように、空気調和動作の運転又は停止、冷房，暖房，又は除湿等の運転モードの切換指示を受け付けるための運転切換キー６０３ａ、風量を調節する風量調節指示を受け付けるための風量調節キー６０３ｂ、空気調和機本体１０の運転又は停止の指示を受け付けるための運転／停止キー６０３ｃ、入力されている指示を取り消す指示を受け付けるためのキャンセルキー６０３ｄ、目標室内温度の入力を受け付けるための温度キー６０３ｅ、動作設定項目を切り換える指示を受け付けるためのメニューキー６０３ｆ、入力された指示を確定させる指示を受け付けるための確定キー６０３ｇを備えている。
【００７１】
リーダ／ライタ部６０４は、例えば操作部６０３の一部として設けられ、動作設定情報を記憶した記憶媒体（CF（コンパクトフラッシュ（登録商標））等のメモリカード等）から情報の読み出しが可能なインタフェイスである。図３（ｂ）に示すように、当該記憶媒体の表示装置６０内部への挿入が可能とされ、記憶媒体を受け入れる受入口６０４ａが表示装置６０の側面６０Ａに設けられている。記憶媒体が当該受入口６０４ａに挿入された状態で、リーダ／ライタ部６０４によって記憶媒体に対するデータ読み出し及び書込が可能な状態となる。当該リーダ／ライタ部６０４によって記憶媒体から読み出された動作設定は、通信部６０５から室外機２０に送信され、室外機２０の動作設定記憶部２０２に記憶される。
【００７２】
通信部（表示装置側インタフェイス）６０５は、室外機２０との間で情報の送受信が可能なインタフェイスである。通信部６０５は、上記操作部６０３に入力又は読み出された動作設定の情報を室外機２０に送信し、室外機２０からは試運転時における試運転動作自体又はその各動作機構の動作状況を示す情報、試運転時における試運転動作自体又はその各動作機構の動作終了までの所要時間を示す情報等を受信する。
【００７３】
次に、空気調和機本体１０及び表示装置６０の試運転動作時における処理の第１実施形態を説明する。図４は空気調和機本体１０及び表示装置６０の試運転動作時における処理の流れを説明するフローチャートである。図５は、試運転動作における各動作機構の動作終了までの所要時間を示す表示画面の一例である。
【００７４】
操作者による表示装置６０の操作部６０３の操作により、試運転動作の開始指示が入力され、制御部６０１に試運転動作の開始指示が受け付けられると（Ｓ１でＹＥＳ）、通信部６０５が試運転動作の開始指示を空気調和機本体１０の室外機２０に送信する（Ｓ２）。
【００７５】
空気調和機本体１０の室外機２０において、データ送受信部２０４が試運転動作の開示指示を受信すると（ＳＳ１）、動作制御部２０３が室外機２０及び室内機３０の各動作機構に上記試運転動作を開始させる（ＳＳ２）。この試運転動作の開始後、検出部２０１は、当該試運転動作を行う室外機２０及び室内機３０の各動作機構の動作状況を、上述したように、外気温センサ（Ｔｏ）によって検出される室外空気温度、室温センサ（Ｔｒ）によって検出される室内空気温度、上記圧力検出部（ＨＳ１，ＨＳ２，ＬＳ）によって検出される圧縮機２１の高圧及び低圧の冷媒圧力、吐出管温度センサ（Ｔｄ）によって検出される圧縮機２１の吐出管温度、外熱交温度センサ（Ｔｃ）によって検出される外熱交温度、内熱交温度センサ（Ｔｅ）によって検出される内熱交温度、電源電圧センサ５８によって検出される電源電圧、電源電流センサ５９によって検出される電源電流等、冷媒量検出部によって検出される冷媒回路１１内の冷媒量の各種のデータ等に基づいて検出する（ＳＳ３）。
【００７６】
続いて、算出部２０６は、検出部２０１によって検出された各動作機構の動作状況に応じて、当該動作状況が検出された時から試運転動作時における各動作機構についての動作終了までに要する所要時間を、各動作機構毎に記憶部２０５から読み出すことで算出する（ＳＳ４）。データ送受信部２０４は、上記ＳＳ３で得られた各動作機構の動作状況と、ＳＳ４で算出された各動作機構についての所要時間を表示装置６０に送信する（ＳＳ５）。
【００７７】
表示装置６０の通信部６０５が上記各動作機構の動作状況及び所要時間を受信すると（Ｓ３）、制御部６０１は、当該受信された各動作機構の動作状況及び所要時間を表示部６０２に表示させる（Ｓ４）。このとき、制御部６０１は、図５に示すように、当該受信された各動作機構の所要時間をグラフィック表示により表示部６０２に表示させる。当該各動作機構の所要時間に対応したグラフィック表示に必要な画像データは制御部６０１が保有している。
【００７８】
次に、空気調和機本体１０及び表示装置６０の試運転動作時における処理の第２実施形態を説明する。図６は空気調和機本体１０及び表示装置６０の試運転動作時における処理の第２実施形態を説明するフローチャートである。図７は、試運転動作における動作終了までの所要時間を示す表示画面の一例である。但し、図４に示した第１実施形態と同様の処理は説明を省略する。
【００７９】
すなわち、空気調和機１００で行われる試運転動作の終了までの所要時間を算出する処理としては、(1) 算出部２０６は、記憶部２０５に記憶されている試運転動作自体についての所要時間算出情報（上記計算式又は所要時間情報）を用いて、検出部２０１によって検出された動作状況から試運転動作の完了までに必要な試運転動作全体の所要時間を算出する、又は、(2)以下に示すように、各動作機構の動作状況に対応する試運転終了までの所要時間を各動作機構毎に記憶部２０５から読み出し、当該読み出された試運転動作終了までの各動作機構の所要時間情報から試運転動作全体についての所要時間を算出する、の２通りがある。
【００８０】
第１実施形態と同様に、空気調和機本体１０の室外機２０において、データ送受信部２０４が試運転動作の開示指示を受信し（ＳＳ１１）、試運転動作が開始されると（ＳＳ１２）、第２実施形態では、複数の各動作機構が連動して一連の試運転動作を行う場合における当該複数の各動作機構の動作状況を検出し（ＳＳ１３）、算出部２０６は、検出部２０１によって検出された各動作機構の動作状況に応じて、当該動作状況に対応する試運転終了までの所要時間を各動作機構毎に記憶部２０５から読み出して算出する（ＳＳ１４）。
【００８１】
そして、算出部２０６は、上記ＳＳ１４で読み出された試運転動作終了までの各動作機構の所要時間情報から、上記一連の試運転動作全体についての所要時間を算出する（ＳＳ１５）。例えば、算出部２０６は、第１の動作機構についての動作が完了したことをもって他の第２の動作機構の動作が開始される関係にある場合には、当該第１の動作機構の所要時間と第２の動作機構の所要時間とを加算し、或いは、ある動作機構と別の動作機構の動作が並行して行われる場合には、ある動作機構の所要時間（上記第１の動作機構の所要時間と第２の動作機構の所要時間とが加算された所要時間を含む）と別の動作機構の所要時間の長い方を選択することによって、一連の試運転動作全体についての所要時間を算出する。
【００８２】
データ送受信部２０４は、上記一連の試運転動作を行う各動作機構の動作状況及び所要時間、さらに上記一連の試運転動作についての所要時間を表示装置６０に送信する（ＳＳ１６）。
【００８３】
表示装置６０の通信部６０５が、上記一連の試運転動作を行う各動作機構の動作状況及び所要時間、さらに上記一連の試運転動作についての所要時間を受信すると（Ｓ１３）、制御部６０１は、当該一連の試運転動作を行う各動作機構の動作状況及び所要時間、さらに上記一連の試運転動作についての所要時間を表示部６０２に表示させる（Ｓ１４）。このとき、制御部６０１は、図７に示すように、当該一連の試運転動作を行う各動作機構の所要時間、さらに上記一連の試運転動作についての所要時間をグラフィック表示により表示部６０２に表示させる。当該各所要時間に対応したグラフィック表示に必要な画像データは制御部６０１が保有している。
【００８４】
次に、空気調和機本体１０及び表示装置６０の試運転動作時における処理の第３実施形態を説明する。図８は空気調和機本体１０及び表示装置６０の試運転動作時における処理の第３実施形態を示すフローチャートである。但し、図４に示した第１実施形態、図６に示した第２実施形態と同様の処理は説明を省略する。
【００８５】
第２実施形態と同様に、空気調和機本体１０の算出部２０６は、検出部２０１によって検出された上記各動作機構の動作状況に応じて、記憶部２０５に記憶されている当該各動作機構についての所要時間情報から、上記一連の試運転動作についての所要時間を算出する（ＳＳ２５）。データ送受信部２０４は、上記一連の試運転動作についての各動作機構の動作状況及び所要時間、当該一連の試運転動作についての所要時間を表示装置６０に送信する（ＳＳ２６）。
【００８６】
ここで、第３実施形態では、記憶部２０５は、前記一連の試運転動作を行う複数の各動作機構のうちの一つが当該試運転動作中に遅延を発生させた場合に、当該遅延を要因として、当該一連の試運転動作を行う他の動作機構に発生する遅延時間を記憶している。例えば、冷媒漏れ等が生じて、冷媒回路１１内の冷媒量が規定量に回復するまでに時間を要し、当該時間が遅延時間となるような場合に、冷媒漏れが検出されて当該検出時の冷媒量から当該冷媒が規定量に達するまでの遅延が、当該試運転時における圧縮機２１の動作を遅延させる時間を、上記他の動作機構に発生する遅延時間として記憶部２０５が記憶している。
【００８７】
算出部２０６は、上記一連の試運転動作を行う複数の各動作機構のうちのいずれかに遅延の発生が検出部２０１によって検出された場合（ＳＳ２７でＹＥＳ）、記憶部２０５から、当該動作機構の遅延により他の動作機構に発生する遅延時間を読み出して加算した上で、各動作機構についての所要時間、当該一連の試運転動作についての所要時間を再度算出する（ＳＳ２８）。
【００８８】
データ送受信部２０４は、この時点で検出部２０１によって検出されている各動作機構の動作状況と、上記遅延後に再算出された各動作機構についての所要時間と、上記一連の試運転動作についての所要時間とを表示装置６０に送信する（ＳＳ２９）。これらＳＳ２７乃至ＳＳ２９の処理は、検出部２０１によって上記一連の試運転動作の終了が検出されるまで繰り返される（ＳＳ３０）。検出部２０１によって上記一連の試運転動作の終了が検出されると（ＳＳ３０でＹＥＳ）、データ送受信部２０４が表示装置６０に対して、上記一連の試運転が終了したことを示す旨の信号を送信する（ＳＳ３１）。なお、検出部２０１が、上記全ての動作機構についての検出値が目標値に達したこと等をもって、当該一連の試運転動作が終了したと検出する。
【００８９】
表示装置６０の通信部６０５が、当該遅延後に再算出された各動作機構についての所要時間、上記一連の試運転動作についての所要時間を受信すると（Ｓ２５でＹＥＳ）、制御部６０１は、当該受信された各動作機構についての所要時間、上記一連の試運転動作についての所要時間を表示部６０２に表示させる（Ｓ２６）。表示装置６０の通信部６０５が、上記遅延後の各動作機構の所要時間、上記一連の試運転動作についての所要時間を受信しない場合は（Ｓ２５でＮＯ）、当然に、Ｓ２６の表示処理は行われない。これらＳ２５及びＳ２６の処理は、空気調和機本体１０のデータ送受信部２０４から上記一連の試運転動作が終了した旨の信号が通信部６０５に受信されるまで繰り返される（Ｓ２７）。
【００９０】
次に、表示装置６０において空気調和機本体１０の動作設定を入力する際の処理の第１実施形態を説明する。図９は表示装置６０において空気調和機本体１０の動作設定を入力する際の処理の第１実施形態を示すフローチャートである。
【００９１】
操作者による表示装置６０の操作部６０３の操作により、当該操作部６０３に空気調和機本体１０の動作設定（例えば、例えば、空気調和動作の運転又は停止、冷房，暖房，又は除湿等の運転モード、風量調節、目標室内温度等）が操作部６０３に入力されると（Ｓ４１でＹＥＳ）、通信部６０５は、入力された動作設定を空気調和機本体１０に送信する（Ｓ４２）。
【００９２】
空気調和機本体１０において、データ送受信部２０４が当該動作設定を受信すると（ＳＳ４１）、動作設定記憶部２０２が当該受信された動作設定を記憶する（ＳＳ４２）。動作制御部２０３は、当該動作設定記憶部２０２に記憶されている動作設定に従って、空気調和機本体１０の各動作機構を駆動制御する（ＳＳ４３）。
【００９３】
次に、表示装置６０において空気調和機本体１０の動作設定を入力する際の処理の第２実施形態を説明する。図１０は表示装置６０において空気調和機本体１０の動作設定を入力する際の処理の第２実施形態を示すフローチャートである。なお、図９に示した第１実施形態と同様の処理は説明を省略する。
【００９４】
操作者により、表示装置６０の受入口６０４ａにCF等の記憶媒体が挿入され、リーダ／ライタ部６０４により、当該挿入された記憶媒体からのデータ読み出しが可能な状態になったことが検出されると（Ｓ５１でＹＥＳ）、当該リーダ／ライタ部６０４は当該記憶媒体に記憶されている動作設定を読み出す（Ｓ５２）。通信部６０５は、当該読み出された動作設定を空気調和機本体１０に送信する（Ｓ５３）。
【００９５】
空気調和機本体１０のデータ送受信部２０４が上記動作設定を受信すると（ＳＳ５１）、動作設定記憶部２０２が当該受信された動作設定を記憶し（ＳＳ５２）、動作制御部２０３は、当該動作設定記憶部２０２に記憶されている動作設定に従って、空気調和機本体１０の各動作機構を駆動制御する（ＳＳ５３）。
【００９６】
次に、空気調和機本体１０及び表示装置６０の試運転動作時における処理の第４実施形態を説明する。図１１は空気調和機本体１０及び表示装置６０の試運転動作時における処理の第４実施形態を示すフローチャートである。但し、図４に示した第１実施形態、図６に示した第２実施形態、図８に示した第３実施形態と同様の処理は説明を省略する。
【００９７】
第３実施形態と同様に、データ送受信部２０４は、検出部２０１によって検出された各動作機構についての動作状況、空気調和機本体１０の算出部２０６により遅延後に再算出された各動作機構についての所要時間、上記一連の試運転動作についての所要時間を表示装置６０に送信する（ＳＳ６９）。
【００９８】
表示装置６０の通信部６０５が、上記各動作機構についての動作状況、当該遅延後に再算出された各動作機構についての所要時間、上記一連の試運転動作についての所要時間を受信すると（Ｓ６５でＹＥＳ）、制御部６０１は、当該受信された各動作機構についての動作状況及び所要時間、上記一連の試運転動作についての所要時間を表示部６０２に表示させる（Ｓ６６）。
【００９９】
ここで、受入口６０４ａに上記記憶媒体が挿入されてセットされていることがリーダ／ライタ部６０４により検出されている場合（Ｓ６７でＹＥＳ）、リーダ／ライタ部６０４は、通信部６０５により受信された上記各動作機構についての動作状況及び所要時間、上記一連の試運転動作についての所要時間を、受入口６０４ａにセットされている記憶媒体に書き込む（Ｓ６８）。これらＳ６５及びＳ６８の処理は、空気調和機本体１０のデータ送受信部２０４から上記一連の試運転動作が終了した旨の信号が通信部６０５に受信されるまで繰り返される（Ｓ６９）。なお、Ｓ６８で行われる記憶媒体への書込は、通信部６０５により受信された上記各動作機構についての動作状況、遅延後に再算出された各動作機構についての所要時間、上記一連の試運転動作についての所要時間のいずれか１つ以上であればよく、必ずしもこれらの３つの情報の全てが書き込まれなくてもよい。
【０１００】
なお、本発明は上記実施の形態の構成に限られず種々の変形が可能である。例えば、上記実施形態では、表示装置６０は、空気調和機本体１０とは別個の装置として構成され、表示装置６０、室外機２０、及び室内機３０により空気調和機１００が構成されるとしたが、表示装置６０は、空気調和機本体１０の一部として、室外機２０と一体的に設けられていてもよい。この場合、上記実施形態で示した表示装置６０の通信部６０５及び制御部６０１と、空気調和機本体１０のデータ送受信部２０４は必ずしも必要ではなく、空気調和機本体１０の動作制御部２０３が、表示装置６０の動作制御を司り、表示部６０２の表示制御や、操作部６０３又はリーダ／ライタ部６０４に入力されて動作設定記憶部２０２に記憶された動作設定に従った空気調和機本体１０の動作制御も行う。
【０１０１】
さらには、同様に、表示装置６０は、空気調和機本体１０の室内機３０と一体的に設けられていてもよい。
【０１０２】
表示装置６０と空気調和機本体１０とが別個に設けられる構成の場合、上記実施形態では、空気調和機本体１０に、記憶部２０５及び算出部２０６が設けられ、試運転動作時の各動作機構の所要時間の算出までを空気調和機本体１０において行うものとしたが、当該記憶部２０５及び算出部２０６が表示装置６０側に設けられ、表示装置６０において、試運転動作時の各動作機構の所要時間の算出を行うものとしてもよい。この場合、空気調和機本体１０のデータ送受信部２０４は、検出部２０１によって検出された各動作機構の動状況を示す信号を表示装置６０に送信し、表示装置６０の通信部６０５がこれを受信して、上記算出部２０６による所要時間の算出に用いられるようにする。
【符号の説明】
【０１０３】
１００      空気調和機
１０        空気調和機本体
１１        冷媒回路
１４，１５  閉鎖弁
２０        室外機
２１        圧縮機
２０１      検出部
２０２      動作設定記憶部
２０３      制御部
２０４      データ送受信部
２０５      記憶部
２０６      算出部
３０        室内機
６０        表示装置
６０１      制御部
６０２      表示部
６０３      操作部
６０４      リーダ／ライタ部
６０４ａ    受入口
６０５      通信部 
【図１】
0005440045.tif 000002
【図２】
0005440045.tif 000003
【図３】
0005440045.tif 000004
【図４】
0005440045.tif 000005
【図５】
0005440045.tif 000006
【図６】
0005440045.tif 000007
【図７】
0005440045.tif 000008
【図８】
0005440045.tif 000009
【図９】
0005440045.tif 000010
【図１０】
0005440045.tif 000011
【図１１】
0005440045.tif 000012